(57)【要約】【課題】画面情報の電磁的漏洩を簡易に防止する画面情報漏洩防止装置及び画面情報漏洩防止方法を提供することを課題とする。【解決手段】デジタル信号列として入力された複数の画素強度信号に対して、所定の画素数ごとに画素の強度を交互に繰り返し強弱させると共に、更に所定のフレーム数（画面数）ごとに強弱パターンをも反転可能な変調信号を印加した後にアナログ信号に変換して出力する。【選択図】図１
2009212952.tif 000002
【特許請求の範囲】
【請求項１】
画面を構成する複数の画素の強度を夫々表す複数の画素強度信号をデジタル信号列として入力する入力手段と、
入力された前記複数の画素強度信号を格納する格納手段と、
前記格納手段に格納された前記画素強度信号を読み出して、所定の画素数ごとに画素の強度を交互に繰り返し強弱する変調信号を印加する印加手段と、
前記変調信号が印加された前記画素強度信号をアナログ信号に変換する変換手段と、
変換された前記画素強度信号を出力する出力手段と、
を有することを特徴とする画面情報漏洩防止装置。
【請求項２】
前記印加手段は、
所定の画面数ごとに前記変調信号の強弱を反転させることを特徴とする請求項１に記載の画面情報漏洩防止装置。
【請求項３】
画面を構成する複数の画素の強度を夫々表す複数の画素強度信号をデジタル信号列として入力する入力手段と、
入力された前記複数の画素強度信号を格納する格納手段と、
前記格納手段に格納された前記画素強度信号を読み出して、対象となる画素および当該画素に連続する複数の画素の総強度を平均化する変調信号を印加する印加手段と、
前記変調信号が印加された前記画素強度信号をアナログ信号に変換する変換手段と、
変換された前記画素強度信号を出力する出力手段と、
を有することを特徴とする画面情報漏洩防止装置。
【請求項４】
画面を構成する複数の画素の強度を夫々表す複数の画素強度信号をデジタル信号列として入力する第１のステップと、
入力された前記複数の画素強度信号を格納手段に格納する第２のステップと、
前記格納手段に格納された前記画素強度信号を読み出して、所定の画素数ごとに画素の強度を交互に繰り返し強弱する変調信号を印加する第３のステップと、
前記変調信号が印加された前記画素強度信号をアナログ信号に変換する第４のステップと、
変換された前記画素強度信号を出力する第５のステップと、
を有することを特徴とする画面情報漏洩防止方法。
【請求項５】
前記第３のステップは、
所定の画面数ごとに前記変調信号の強弱を反転させることを特徴とする請求項４に記載の画面情報漏洩防止方法。
【請求項６】
画面を構成する複数の画素の強度を夫々表す複数の画素強度信号をデジタル信号列として入力する第１のステップと、
入力された前記複数の画素強度信号を格納手段に格納する第２のステップと、
前記格納手段に格納された前記画素強度信号を読み出して、対象となる画素および当該画素に連続する複数の画素の総強度を平均化する変調信号を印加する第３のステップと、
前記変調信号が印加された前記画素強度信号をアナログ信号に変換する第４のステップと、
変換された前記画素強度信号を出力する第５のステップと、
を有することを特徴とする画面情報漏洩防止方法。
【発明の詳細な説明】
【技術分野】
【０００１】
本発明は、コンピュータ類の画面に表示される画面情報の電磁的漏洩を防止する画面情報漏洩防止装置及び画面情報漏洩防止方法の技術に関する。
【背景技術】
【０００２】
コンピュータ、通信機器などの情報機器から意図せずに放射される不要電磁波は、情報機器内部又は情報機器を結ぶインタフェース中の電気信号から生成されており、その不要電磁波は情報機器上の画面情報を含んでいる。そして、既知の情報インタフェースであれば、その不要電磁波を受信して再生することで、画面情報そのものを取得することができる。
【０００３】
このような画面情報の電磁的漏洩を防止するため、画面情報の画面表示信号と共に擬似信号を同期して発生させる技術が開示されている（特許文献１参照）。
【特許文献１】特開２００７−０６０３８４号公報
【発明の開示】
【発明が解決しようとする課題】
【０００４】
しかしながら、特許文献１に開示された技術は、アンテナから擬似信号を空間へ放射する特殊なハードウェアを情報機器とは別に準備する必要があるため、利便性やコスト面で簡易に利用できないという問題があった。また、擬似信号を発生させるため、周囲の電磁環境に悪影響を与える可能性があるという問題もあった。
【０００５】
本発明は、上記に鑑みてなされたものであり、画面情報の電磁的漏洩を簡易に防止する画面情報漏洩防止装置及び画面情報漏洩防止方法を提供することを課題とする。
【課題を解決するための手段】
【０００６】
請求項１に記載の本発明は、画面を構成する複数の画素の強度を夫々表す複数の画素強度信号をデジタル信号列として入力する入力手段と、入力された前記複数の画素強度信号を格納する格納手段と、前記格納手段に格納された前記画素強度信号を読み出して、所定の画素数ごとに画素の強度を交互に繰り返し強弱する変調信号を印加する印加手段と、前記変調信号が印加された前記画素強度信号をアナログ信号に変換する変換手段と、変換された前記画素強度信号を出力する出力手段と、を有することを要旨とする。
【０００７】
本発明にあっては、デジタル信号列として入力された複数の画素強度信号に対して変調信号を印加した後にアナログ信号に変換して出力するため、従来のように特殊なハードウェアを新たに準備することなく、デジタル処理によって、画面情報の電磁的漏洩を簡易に防止することができる。
【０００８】
請求項２に記載の本発明は、前記印加手段が、所定の画面数ごとに前記変調信号の強弱を反転させることを要旨とする。
【０００９】
請求項３に記載の本発明は、画面を構成する複数の画素の強度を夫々表す複数の画素強度信号をデジタル信号列として入力する入力手段と、入力された前記複数の画素強度信号を格納する格納手段と、前記格納手段に格納された前記画素強度信号を読み出して、対象となる画素および当該画素に連続する複数の画素の総強度を平均化する変調信号を印加する印加手段と、前記変調信号が印加された前記画素強度信号をアナログ信号に変換する変換手段と、変換された前記画素強度信号を出力する出力手段と、を有することを要旨とする。
【００１０】
本発明にあっては、デジタル信号列として入力された複数の画素強度信号に対して変調信号を印加した後にアナログ信号に変換して出力するため、従来のように特殊なハードウェアを新たに準備することなく、デジタル処理によって、画面情報の電磁的漏洩を簡易に防止することができる。
【００１１】
請求項４に記載の本発明は、画面を構成する複数の画素の強度を夫々表す複数の画素強度信号をデジタル信号列として入力する第１のステップと、入力された前記複数の画素強度信号を格納手段に格納する第２のステップと、前記格納手段に格納された前記画素強度信号を読み出して、所定の画素数ごとに画素の強度を交互に繰り返し強弱する変調信号を印加する第３のステップと、前記変調信号が印加された前記画素強度信号をアナログ信号に変換する第４のステップと、変換された前記画素強度信号を出力する第５のステップと、を有することを要旨とする。
【００１２】
請求項５に記載の本発明は、前記第２のステップが、所定の画面数ごとに前記変調信号の強弱を反転させることを要旨とする。
【００１３】
請求項６に記載の本発明は、画面を構成する複数の画素の強度を夫々表す複数の画素強度信号をデジタル信号列として入力する第１のステップと、入力された前記複数の画素強度信号を格納手段に格納する第２のステップと、前記格納手段に格納された前記画素強度信号を読み出して、対象となる画素および当該画素に連続する複数の画素の総強度を平均化する変調信号を印加する第３のステップと、前記変調信号が印加された前記画素強度信号をアナログ信号に変換する第４のステップと、変換された前記画素強度信号を出力する第５のステップと、を有することを要旨とする。
【発明の効果】
【００１４】
本発明によれば、画面情報の電磁的漏洩を簡易に防止する画面情報漏洩防止装置及び画面情報漏洩防止方法を提供することができる。
【発明を実施するための最良の形態】
【００１５】
以下、本発明の実施の形態について図面を用いて説明する。
【００１６】
〔第１の実施の形態〕
図１は、第１の実施の形態に係る画面情報漏洩防止装置の機能ブロックを示す機能ブロック図である。この画面情報漏洩防止装置１００は、入力部１０と、印加部２０と、変換部３０と、出力部４０と、格納部５０とを備えた構成である。
【００１７】
最初に、入力部１０は、画面を構成する複数の画素の強度を夫々表す複数の画素強度信号をデジタル信号列として入力する。そして、入力された複数の画素強度信号は格納部５０に格納される。
【００１８】
なお、入力される各画素の画素強度信号は、図２に示すようにＳｉ，ｊ，ｋで表現されるものとし、ｉはフレーム番号，ｊはフレーム内の行番号，ｋはフレーム内の列番号を意味するものであって、１フレームはＪ行Ｋ列で構成されるものとする。また、ｉ番目のフレームを構成する各画素強度信号は、Ｓｉ，１，１，Ｓｉ，１，２，…，Ｓｉ，１，Ｋ，Ｓｉ，２，１，Ｓｉ，２，２，…，Ｓｉ，２，Ｋ，Ｓｉ，Ｊ，１，Ｓｉ，Ｊ，２，…，Ｓｉ，Ｊ，Ｋの順で入力されるものとする。
【００１９】
次に、印加部２０は、格納部５０から読み出した各画素強度信号Ｓｉ，ｊ，ｋに対して、所定の画素数ごとに画素の強度を交互に繰り返し強弱させると共に、更に所定のフレーム数（画面数）ごとに強弱パターンをも反転可能な式（１）で示す変調信号を印加する。
【数１】
2009212952.tif 000003
【００２０】
ここで、Ａは印加する変調信号の大きさを与える定数であり、１〜３程度の範囲内で設定することが好ましい。また、ＮＰは上記所定の画素数を示す定数であり、１〜５程度の範囲内で設定することが望ましい。例えばＮＰを５に設定した場合には、５画素数ごとに画素の強度を交互に繰り返し強弱させることになり、より具体的には、１画素目〜５画素目の各画素の強度を強めて６画素目〜１０画素目の各画素の強度を弱めることを５画素数ごとに交互に繰り返すことになる。更に、ＮＦは上記所定のフレーム数を示す定数であり、１〜１０程度の範囲内で設定することが望ましい。例えばＮＦを１０に設定した場合には、１０フレームごとに画素の強弱パターンを反転させることになり、より具体的には、１フレーム目〜１０フレーム目における各画素の強度に対して与える強弱パターンを強→弱とし、１１画素目〜２０画素目における各画素の強度に対して与える強弱パターンを弱→強とすることになる。なお、ｃは、出力部４０から出力されて伝送ケーブル等から放射される電磁波の信号に角度を付与するパラメータであり、−５〜５程度の範囲内で設定することが望ましい。
【００２１】
最後に、変換部３０は、式（２）に示すように印加部２０で変調信号が印加された各画素強度信号（Ｓｉ，ｊ，ｋ）’をアナログ信号に変換し、出力部４０は、伝送ケーブル等を介して変換された各画素強度信号を図示しない画面表示装置に順次出力する。
【数２】
2009212952.tif 000004
【００２２】
続いて、以上説明した処理動作によって画面情報漏洩防止装置１００から出力される画素強度信号（Ｓｉ，ｊ，ｋ）’について説明する。図３は、所定の画素数ごとに画素の強度を交互に繰り返し強弱させる変調信号を印加する場合に説明上必要となる各信号の出力波形を示す波形図である。同図（ａ）はＮｐ＝２の場合における強→弱の強弱パターンを示す変調信号の波形であり、同図（ｂ）は入力部１０に入力された各画素強度信号Ｓｉ，ｊ，ｋのデジタル信号列である。また、同図（ｃ）は、同図（ａ）に示す変調信号が同図（ｂ）に示す各画素強度信号Ｓｉ，ｊ，ｋに印加された各画素強度信号（Ｓｉ，ｊ，ｋ）’である。更に、同図（ｄ）は、変調信号が印加された各画素強度信号（Ｓｉ，ｊ，ｋ）’が出力部４０から出力された場合に、伝送ケーブル等から放射される電磁波の信号である。なお、変調信号を印加しない場合の放射信号が同図（ｅ）に記載されている。
【００２３】
同図（ｃ）によれば、変調信号が印加された各画素強度信号（Ｓｉ，ｊ，ｋ）’は、同図（ｂ）に示す変調信号を印加する前の各画素強度信号Ｓｉ，ｊ，ｋに対して２Ｎｐを周期とする矩形波を加えた波形となっている。例えば、（Ｓｉ，１，１）’や（Ｓｉ，１，２）’については画素強度信号が変調信号の大きさＡ分だけ強められ、（Ｓｉ，１，３）’や（Ｓｉ，１，４）’については画素強度信号が変調信号の大きさＡ分だけ弱められている。
【００２４】
そして、このような各画素強度信号（Ｓｉ，ｊ，ｋ）’が出力された場合、伝送ケーブル等から放射される電磁波の信号は、同図（ｄ）に示すような波形となる。オリジナルの画素強度信号Ｓｉ，ｊ，ｋが変調信号によってマスクされるため、同図（ｅ）に示すような変調信号を印加する前の画素強度信号に基づく放射信号を再現することが困難となり、画面情報の電磁的漏洩を防止することができる。
【００２５】
更に、所定の画素数ごとに画素の強度を交互に繰り返し強弱させると共に、所定のフレーム数ごとに強弱パターンを反転させる変調信号を印加した場合には、強弱パターンの反転により式（１）で示す変調信号の大きさが時間平均で零（ゼロ）になるため、画面情報が時間平均で相殺されて視覚的に無信号状態（ストライプが表示されない）となる。
【００２６】
本実施の形態によれば、デジタル信号列として入力された複数の画素強度信号に対して変調信号を印加した後にアナログ信号に変換して出力するので、従来のように特殊なハードウェアを新たに準備することなく、デジタル処理によって、画面情報の電磁的漏洩を簡易に防止することができる。
【００２７】
〔第２の実施の形態〕
第２の実施の形態に係る画面情報漏洩防止装置１００は、図１を用いて説明した第１の実施の形態に係る画面情報漏洩防止装置と同様に、入力部１０と、印加部２０と、変換部３０と、出力部４０と、格納部５０とを備えた構成である。入力部１０、変換部３０、出力部４０、格納部５０の各処理動作は、第１の実施の形態で説明した処理動作と同様なので重複説明は省略し、印加部２０の処理動作について以下説明する。
【００２８】
印加部２０は、格納部５０から読み出した各画素強度信号Ｓｉ，ｊ，ｋに対して、対象となる画素及び当該画素に連続する複数の画素の総強度を平均化する式（３）で示す変調信号を印加する。
【数３】
2009212952.tif 000005
【００２９】
ここで、Ｍ（Ｍ＞０）は連続する画素数を決める値であり、１又は２に設定することが望ましい。また、Ｗｍは重み係数であり、式（４）の関係式を満たし、Ｗｍ＝１／（２Ｍ＋１）とすることが望ましい。
【数４】
2009212952.tif 000006
【００３０】
例えばＭを１に設定した場合、印加対象となる画素の画素強度信号Ｓｉ，ｊ，ｋに対して連続する画素の画素強度信号がＳｉ，ｊ，ｋ−１、Ｓｉ，ｊ，ｋ＋１となりＷｍ＝１／３となるので、変調信号が印加された画素強度信号は、前後に位置する画素の画素強度信号の強度を含めた総強度の平均値になる。
【００３１】
続いて、このような印加部２０の処理動作によって画面情報漏洩防止装置１００から出力される画素強度信号（Ｓｉ，ｊ，ｋ）’について説明する。図４は、変調信号を印加する際に説明上必要となる各信号の出力波形を示す波形図である。同図（ａ）は入力部１０に入力された各画素強度信号Ｓｉ，ｊ，ｋのデジタル信号列であり、同図（ｂ）は、変調信号が同図（ａ）に示す各画素強度信号Ｓｉ，ｊ，ｋに印加された各画素強度信号（Ｓｉ，ｊ，ｋ）’である。また、同図（ｃ）は、変調信号が印加された各画素強度信号（Ｓｉ，ｊ，ｋ）’が出力部４０から出力された場合に、伝送ケーブル等から放射される電磁波の信号である。
【００３２】
同図（ｂ）によれば、変調信号が印加された各画素強度信号（Ｓｉ，ｊ，ｋ）’のうち例えば（Ｓｉ，１，２）’は、（Ｓｉ，１，１＋Ｓｉ，１，２＋Ｓｉ，１，３）の総強度を３で除算した平均値の強度を有する矩形波となっている。そして、このような各画素強度信号（Ｓｉ，ｊ，ｋ）’が出力された場合、伝送ケーブル等から放射される電磁波の信号は、同図（ｃ）に示すような波形となる。各画素強度信号の強度を前後に位置する画素の強度を用いて平均化するため、各画素強度信号（Ｓｉ，ｊ，ｋ）’間の立ち上がり及び立ち下りが第１の実施の形態で説明した場合よりも総じて小さくなるので、漏洩する電磁波の強度が全体的に低下することになる。言い換えれば、画素強度信号の平均化処理によりオリジナルの画素強度信号をぼかすことが可能となる。その結果、再現に必要とされる信号の強度がより小さく微弱化されるので、変調信号を印加する前の画素強度信号に基づく放射信号を再現することが困難となる。
【００３３】
本実施の形態によれば、デジタル信号列として入力された複数の画素強度信号に対して変調信号を印加した後にアナログ信号に変換して出力するので、従来のように特殊なハードウェアを新たに準備することなく、デジタル処理によって、画面情報の電磁的漏洩を簡易に防止することができる。
【００３４】
最後に、各実施の形態で説明した画面情報漏洩防止装置１００は、画像処理装置の一機能としてモジュール化することも可能である。また、この画面情報漏洩防止装置１００はコンピュータで構成され、各部の処理はプログラムで実行される。
【図面の簡単な説明】
【００３５】
【図１】第１の実施の形態に係る画面情報漏洩防止装置の機能ブロックを示す機能ブロック図である。
【図２】各画素の位置関係の説明に用いる説明図である。
【図３】所定の画素数ごとに画素の強度を交互に繰り返し強弱させる変調信号を印加する場合に説明上必要となる各信号の出力波形を示す波形図である。
【図４】変調信号を印加する際に説明上必要となる各信号の出力波形を示す波形図である。
【符号の説明】
【００３６】
１０…入力部
２０…印加部
３０…変換部
４０…出力部
５０…格納部
１００…画面情報漏洩防止装置
【図１】
2009212952.tif 000007
【図２】
2009212952.tif 000008
【図３】
2009212952.tif 000009
【図４】
2009212952.tif 000010